(57)【要約】多機能の治療装置は、弾性支持機構（１）、治療機構（２）、カバー機構（３）、ケース部（４）および撮像機構（５）を備える。カバー機構（３）は弾性支持機構（１）の外部に挿入され、治療機構（２）は弾性支持機構（１）に着脱可能に固定され、ケース部（４）は治療機構（２）と弾性支持機構（１）との連結箇所に設けられ、使用者がカバー機構（３）を握って治療機構（２）を治療部位に対向させてから移動させながら治療を完成し、撮像機構（５）ではその治療の動作を観察する。治療機構（２）は、マッサージヘッド（２２）、グアシャヘッド（２３）および鍼灸ヘッド（２４）を備える。マッサージヘッド（２２）、グアシャヘッド（２３）および鍼灸ヘッド（２４）は、いずれも弾性支持機構（１）に着脱可能に固定されて、順次にマッサージ、グアシャおよび灸療の動作をそれぞれ完成する。この多機能の治療装置は、構造が簡単であり、設計が巧妙であり、１人で使用可能であり、かつ物理と薬物とを結合させて治療効果が顕著である。
2017523829.tif 000002
【特許請求の範囲】
【請求項１】
弾性支持機構（１）、治療機構（２）、カバー機構（３）、ケース部（４）および撮像機構（５）を備える多機能の治療装置であって、
前記カバー機構（３）は前記弾性支持機構（１）の外部に挿入され、前記治療機構（２）は前記弾性支持機構（１）に着脱可能に固定され、前記ケース部（４）は前記治療機構（２）と前記弾性支持機構（１）との連結箇所に設けられ、使用者が前記カバー機構（３）を握って前記治療機構（２）を治療の部位に対向させてから移動させながら治療をし、前記撮像機構（５）ではその治療の動作を観察し、前記治療機構（２）は、マッサージヘッド（２２）、グアシャヘッド（２３）および鍼灸ヘッド（２４）を備え、前記マッサージヘッド（２２）、前記グアシャヘッド（２３）および前記鍼灸ヘッド（２４）は、いずれも前記弾性支持機構（１）に着脱可能に固定されて、順次にマッサージ、グアシャおよび鍼灸の動作をそれぞれ完成することを特徴とする多機能の治療装置。
【請求項２】
前記弾性支持機構（１）は、第１手持部（１１）、第２手持部（１２）および連結板（１３）を備え、前記第１手持部（１１）と前記第２手持部（１２）とは弾性手持部であり、両者の内側端はそれぞれ前記連結板（１３）の両端に固定され、前記連結板（１３）の両側には直径範囲が４ｍｍ〜２０ｍｍである位置決め筋（１４）が設けられており、この位置決め筋（１４）は、治療時の位置を決めることまたは打撃マッサージをすることに使用されることを特徴とする請求項１に記載の多機能の治療装置。
【請求項３】
前記カバー機構（３）は、第１手持カバー部（３１）、第２手持カバー部（３２）およびリング部（３３）を備え、前記第１手持カバー部（３１）および前記第２手持カバー部（３２）は柔軟性のカバーであり、両者は前記第１手持部（１１）および前記第２手持部（１２）の外部にそれぞれ挿入され、少なくとも２つの前記リング部（３３）は前記第１手持カバー部（３１）および前記第２手持カバー部（３２）の外部に間隔をあけて設けられ、前記リング部（３３）は、前記第１手持カバー部（３１）および前記第２手持カバー部（３２）を長手方向に少なくとも２つの区間に分割し、この区間は手持区間であり、互いに異なる距離に位置する手持区間は互いに異なるマッサージ部位に適用されることを特徴とする請求項２に記載の多機能の治療装置。
【請求項４】
前記ケース部（４）は、前記連結板（１３）および前記位置決め筋（１４）を包み、打撃マッサージ時の力を緩衝させるためのものであり、前記ケース部（４）の底部は、閉鎖平面として、圧力の受ける面であり、受圧物の表面の滑り止めおよび保護をするためのものであり、前記ケース部（４）の頂部および両端は開放されており、前記治療機構（２）は前記ケース部（４）の頂部から突出され、前記第１手持カバー部（３１）および前記第２手持カバー部（３２）はそれぞれ前記ケース部（４）の両端から突出され、両者の外壁は前記ケース部（４）の内壁と締り嵌めによって連結されることを特徴とする請求項３に記載の多機能の治療装置。
【請求項５】
前記第１手持部（１１）および前記第２手持部（１２）の厚さは０．３ｍｍ〜２．５ｍｍであり、幅は１５ｍｍ〜４５ｍｍであり、材料は片状の弾性材質であり、前記第１手持部（１１）および前記第２手持部（１２）の両端には、直径が６ｍｍ〜１２ｍｍである孔がそれぞれ開設されており、この孔は掛けることおよび包装することに使用されることを特徴とする請求項２から４のいずれ１項に記載の多機能の治療装置。
【請求項６】
前記鍼灸ヘッド（２４）内には、燃焼済みの針状棒体の灰燼を収集するための網板（２１３）が設けられており、前記鍼灸ヘッド（２４）の底部には針状棒体（２５）を挟持するためのクランプ（２１０）が固定されており、前記針状棒体（２５）は前記クランプ（２１０）の挟持口に挟持されることによって固定及び位置決めされ、前記針状棒体（２５）が所定の時間燃焼した後に前記挟持口を開放させ、前記針状棒体（２５）を前記鍼灸ヘッド（２４）内へ移動させることを特徴とする請求項５に記載の多機能の治療装置。
【請求項７】
前記針状棒体（２５）の後端部には針状棒体送り機構が挿入され、前記針状棒体送り機構は推進ピン（２１１）及び推進台（２１２）を備え、前記推進ピン（２１１）は前記針状棒体（２５）の後端部に挿入され、前記針状棒体（２５）がほとんど燃焼した場合、前記推進台（２１２）を前方へ推進させて残り部分を燃焼させるようにすることを特徴とする請求項６に記載の多機能の治療装置。
【請求項８】
前記治療機構（２）は、前記連結板（１３）に固定される連結台（２１）をさらに備え、前記マッサージヘッド（２２）、前記グアシャヘッド（２３）および前記鍼灸ヘッド（２４）は、いずれも前記連結台（２１）に着脱可能に固定され、前記連結台（２１）の中央には貫通孔が開設されており、この貫通孔の上端附近には隔板（２６）が設けられており、この隔板（２６）には位置決め槽（２８）および少なくとも２つの針状棒体孔（２９）が開設されており、前記位置決め槽（２８）には、前記グアシャヘッド（２３）が嵌入して位置決めされ、前記針状棒体孔（２９）には、１本または少なくとも２本の前記針状棒体（２５）が挿入して固定され、前記連結台（２１）の両側には連結孔が開設され、前記マッサージヘッド（２２）、前記グアシャヘッド（２３）、前記鍼灸ヘッド（２４）には対応する連結孔が開設されており、前記マッサージヘッド（２２）、前記グアシャヘッド（２３）、前記鍼灸ヘッド（２４）が前記連結台（２１）の頂部にそれぞれ嵌入されてから前記連結台（２１）と前記マッサージヘッド（２２）や前記グアシャヘッド（２３）や前記鍼灸ヘッド（２４）との連結孔に連結ピン（２７）を挿入することにより、前記マッサージヘッド（２２）、前記グアシャヘッド（２３）および前記鍼灸ヘッド（２４）が前記連結台（２１）にそれぞれ着脱可能に固定されることを特徴とする請求項７に記載の多機能の治療装置。
【請求項９】
前記撮像機構（５）は、無線接続モジュールを備え、前記撮像機構（５）は外部の電子表示装置と無線接続して治療の動作を前記外部の電子表示装置に表示させることを特徴とする請求項１に記載の多機能の治療装置。
【請求項１０】
前記無線接続モジュールは、無線のブルートゥース モジュールまたは無線のＷＩＦＩモジュールであることを特徴とする請求項９に記載の多機能の治療装置。
【請求項１１】
請求項１に記載の多機能の理学治療装置を利用する理学治療方法であって、
（ａ）組立：まずは、第１手持カバー部（３１）および第２手持カバー部（３２）を第１手持部（１１）および第２手持部（１２）にそれぞれ外挿させ、次には、ケース部（４）を第１手持カバー部（３１）、第２手持カバー部（３２）および連結板（１３）の外部に装着させ、最後には、連結台（２１）を連結板（１３）に固定させるステップと、
（ｂ）マッサージ：マッサージヘッド（２２）を連結台（２１）の頂部に嵌入させ、連結ピン（２７）で固定して位置決めさせ、使用者は両手で第１手持カバー部（３１）および第２手持カバー部（３２）の手持区間を握って、マッサージヘッド（２２）をマッサージしようとする部位に対向させて圧迫マッサージを行うステップと、
（ｃ）グアシャ：マッサージ完了後、マッサージヘッド（２２）を取り外し、グアシャヘッド（２３）を連結台（２１）の頂部に嵌入させてから連結ピン（２７）で固定させ、使用者は両手で手持区間を握って、グアシャヘッド（２３）を上記のマッサージした部位に対向させてグアシャを行うステップと、
（ｄ）灸療：グアシャ完了後、グアシャヘッド（２３）を取り外し、灸療ヘッド（２４）を連結台（２１）の頂部に嵌入させてから連結ピン（２７）で固定させ、点火した艾棒（２５）を点火端から灸療ヘッド（２４）内に挿入させ、使用者は両手で手持区間を握って、灸療ヘッド（２４）を上記のグアシャした部位に対向させて灸療を行うとともに、撮像機構（５）で観察するステップと、
を含むことを特徴とする理学治療方法。
【請求項１２】
ステップ（ｂ）からステップ（ｄ）においては、体の前後の各部位に対してマッサージ、グアシャおよび灸療を行い、
ステップ（ｂ）およびステップ（ｃ）においては、マッサージやグアシャの方式には、ケース部（４）の背面を平面に支持させて置き、体の自重でマッサージヘッド（２２）やグアシャヘッド（２３）を押圧しながら往復摩擦させることによってマッサージやグアシャを行なうという圧力式と、位置決め筋（１４）を静的支点とし、マッサージヘッド（２２）やグアシャヘッド（２３）を動的支点とし、手動でマッサージヘッド（２２）やグアシャヘッド（２３）を押圧しながら往復摩擦させることによってマッサージやグアシャを行なうという位置決め式とがあり、
ステップ（ｂ）においては、マッサージの時間は５〜１０分間であり、マッサージ部位を予め血液循環させ、ステップ（ｃ）においては、グアシャの時間は５〜１０分間であり、鬱血除去および排毒させ、ステップ（ｄ）においては、灸療の部位が体の背中に位置する場合、撮像機構５で理学治療の過程を観察し、その灸療の時間は５〜２０分間であることを特徴とする請求項１１に記載の理学治療方法。
【発明の詳細な説明】
【技術分野】
【０００１】
本発明は、保健設備に関し、特に多機能の治療装置および治療方法に関するものである。
【背景技術】
【０００２】
マッサージは、人体に対して血の流れや代謝を促進させる作用があり、一日中の疲労や体の緊張状態を解消させることにより、一定の保健効果を起こす。特に、学生、会社員、長期間コンピュータを使用する者、高層管理職のＩＴ系エンジニア、労働強度が高い者、近視者、軽度不眠症患者、中高年者、激しい運動によって損傷した者、静脈瘤者、下肢の腫れや麻痺の者、血液循環が順調でない者、高齢者、免疫力低下者などに対しては多機能の治療装置および治療方法の作用はより顕著である。
【０００３】
また、中国グアシャのグアシャ（中国語ではグアシャである）は、色々な治療効果を有しており、内科、外科、婦人科、小児科の多種な病症や美容、健康促進の領域に広く使われている。特に、疼痛症候群の治癒、頚椎症や肩関節周囲炎のような変形性関節症の治癒に適用され、風邪、発熱、咳のような呼吸器系統の疾患に対しては臨床上カッピング療法を併用することができ、ざ瘡や褐色斑のような損容性疾患に対しては針灸、瀉血などの療法を併用することができ、亜健康や慢性疲労症候群のような疾患にも適用することができる。現在、グアシャには一般にグアシャ板を採用し、グアシャ方式としてはグアシャ患者が横になり、グアシャ治療者がグアシャ板でグアシャ患者に対してグアシャをする。グアシャをするとき、２人が共に完成しなければならず、かつグアシャにおける力の強さを制御しにくいので、力の強さが大きすぎることによって皮膚が損傷を受けるおそれがある。
【０００４】
また、鍼灸療法は、中医学の重要な構成部分であり、「鍼術」または「灸術」とも略称される。鍼鍼灸療法は、綿状の繊維（中国語：艾▲絨▼、英文：moxa  floss）によって製作された針状物（中国語：艾▲烽▼、英文：moxa  cone）または針状棒体（原文：艾条、英文：moxa  cigar）を採用し、薬物がつけられたものを体の所定の部位に載せて経穴と対向するようにした後、点火して病気を治療する療法である。このとき、体の経絡によって薬物が体に滲入することにより、経絡を活発化させ、気血を調和させ、生理機能を調整し、耐病能力を増強させて、病気の予防や治療、保健の効果を得ることができる。最初の鍼灸療法において、点火された針状棒体を手に取って治療しようとする体の所定の部位に近接させ、間隔をあけて加熱することにより、治療の効果を得た。しかし、その方式は、針状棒体と体との間の距離を制御しにくく、火傷を容易に招き、かつ燃焼によって形成された艾の灰燼を容易に処理することができない欠点を有している。その以降、発明された鍼灸装置によって上述した欠陥を多少改善することができた。すなわち、針状棒体を鍼灸装置内で燃焼させ、その鍼灸装置で体を加熱させることにより、燃焼による灰燼が鍼灸装置内に残留されることでその収集が容易となった。出願番号が２０１２２０１１７５５６．８である中国実用新案「鍼灸装置」に開示されているように、鍼灸装置による鍼灸療法で治療をするとき点火された針状棒体によって火傷を受けることを免れることができたが、箱体による間隔によって治療の効果が直接な治療の効果より悪く、同じ効果を得ようとする場合は、灸療に長時間が必要であるだけではなく、体の背中などの部位に対する治療には、他人の協力が必要となった。
【０００５】
また、本出願人が２０１４年２月１７日付に出願した出願番号が２０１４１００５２２３１．７である中国特許出願「マッサージ装置」は、（ａ）マッサージ部位が固定されたことにより、体の固定部位（例えば、背中）のみに対してマッサージをしなければならず、そのマッサージの精度が高くなく、また、被覆式のマッサージなので、所定の部位に対して精確に長時間マッサージすることができなかった。（ｂ）携帯が不便であり、通電の場合のみに作動するので、室外での場合には適用することができなかった。（ｃ）電力の消費が大きいことによって使用コストが高かった。（ｄ）マッサージ力が小さい。（ｅ）保護手段の無しによってマッサージ部が直接外部に露出されており、マッサージ時に外力に寄り掛かることができないので、マッサージ時の安定性が低く、揺れが生じ易かった。（ｆ）マッサージが可能な体の部位が少ないので、体の個別的部位のみに対してマッサージをしたなどのような従来のマッサージ装置における欠陥を解決した。しかし、このマッサージ装置は、機能が単一であり、物理方面でのみマッサージ効果を増強させるので、長時間大きい力でマッサージをする必要があるので、マッサージ者の体力に対する要求が高かった。
【発明の概要】
【発明が解決しようとする課題】
【０００６】
本発明は、上記のような従来技術の不足に鑑みてなされたものであり、構造が簡単であり、設計が巧妙であり、１人で使用可能であり、かつ物理と薬物とを結合させた多機能の治療装置および治療方法を提供することを目的とする。
【課題を解決するための手段】
【０００７】
本発明に係る多機能の治療装置は、弾性支持機構、治療機構、カバー機構、ケース部および撮像機構を備え、前記カバー機構は前記弾性支持機構の外部に挿入され、前記治療機構は前記弾性支持機構に着脱可能に固定され、前記ケース部は前記治療機構と前記弾性支持機構との連結箇所に設けられ、使用者が前記カバー機構を握って前記治療機構を治療しようとする部位に対向させてから移動させながら治療を完成し、前記撮像機構ではその治療の動作を観察し、前記治療機構は、マッサージヘッド、グアシャヘッドおよび鍼灸ヘッドを備え、前記マッサージヘッド、前記グアシャヘッドおよび前記鍼灸ヘッドは、いずれも前記弾性支持機構に着脱可能に固定されて、順次にマッサージ、グアシャおよび灸療の動作をそれぞれ完成する。
【０００８】
また、前記弾性支持機構は、第１手持部、第２手持部および連結板を備え、前記第１手持部と前記第２手持部とは弾性手持部であり、両者の内側端はそれぞれ前記連結板の両端に固定され、前記連結板の両側には直径範囲が４ｍｍ〜２０ｍｍである位置決め筋が設けられており、この位置決め筋は、治療時に位置決めすることまたは直接打撃マッサージをすることに使用される。
【０００９】
また、前記カバー機構は、第１手持カバー部、第２手持カバー部およびリング部を備え、前記第１手持カバー部および前記第２手持カバー部は柔軟性のカバーであり、両者は前記第１手持部および前記第２手持部の外部にそれぞれ挿入され、少なくとも２つの前記リング部は前記第１手持カバー部および前記第２手持カバー部の外部に間隔をあけて設けられ、前記リング部は、前記第１手持カバー部および前記第２手持カバー部を長手方向に少なくとも２つの区間に分割し、この区間は手持区間であり、互いに異なる距離に位置する手持区間は互いに異なるマッサージ部位に適用される。
【００１０】
また、前記ケース部は、前記連結板および前記位置決め筋を包み、打撃マッサージ時の力を緩衝させるためのものであり、前記ケース部の底部は、閉鎖平面として、圧力の受ける面であり、受圧物の表面の滑り止めおよび保護をするためのものであり、前記ケース部の頂部および両端は開放されており、前記治療機構は前記ケース部の頂部から突出され、前記第１手持カバー部および前記第２手持カバー部はそれぞれ前記ケース部の両端から突出され、両者の外壁は前記ケース部の内壁と締り嵌めによって連結される。
【００１１】
また、前記第１手持部および前記第２手持部の厚さは０．３ｍｍ〜２．５ｍｍであり、幅は１５ｍｍ〜４５ｍｍであり、材料は片状の弾性材質であり、前記第１手持部および前記第２手持部の両端には、直径が６ｍｍ〜１２ｍｍである孔がそれぞれ開設されており、この孔は掛けることおよび包装することに使用される。
【００１２】
また、前記鍼灸ヘッド内には、燃焼済みの針状棒体の灰燼を収集するための網板が設けられており、前記鍼灸ヘッドの底部には針状棒体を挟持するためのクランプが固定されており、前記針状棒体は前記クランプの挟持口に挟持されることによって固定及び位置決めされ、前記針状棒体が所定の時間燃焼した後に前記挟持口を開放させ、前記針状棒体を前記鍼灸ヘッド内へ移動させる。
【００１３】
また、前記針状棒体の後端部には針状棒体送り機構が挿入され、前記針状棒体送り機構は推進ピン及び推進台を備え、前記推進ピンは前記針状棒体の後端部に挿入され、前記針状棒体がほとんど燃焼した場合、前記推進台を前方へ推進させて残り部分を燃焼させるようにする。
【００１４】
また、前記治療機構は、前記連結板に固定される連結台をさらに備え、前記マッサージヘッド、前記グアシャヘッドおよび前記鍼灸ヘッドは、いずれも前記連結台に着脱可能に固定され、前記連結台の中央には貫通孔が開設されており、この貫通孔の上端附近には隔板が設けられており、この隔板には位置決め槽および少なくとも２つの針状棒体孔が開設されており、前記位置決め槽には、前記グアシャヘッドが嵌入して位置決めされ、前記針状棒体孔には、１本または少なくとも２本の前記針状棒体が挿入して固定され、前記連結台の両側には連結孔が開設され、前記マッサージヘッド、前記グアシャヘッド、前記鍼灸ヘッドには対応する連結孔が開設されており、前記マッサージヘッド、前記グアシャヘッド、前記鍼灸ヘッドが前記連結台の頂部にそれぞれ嵌入されてから前記連結台と前記マッサージヘッドや前記グアシャヘッドや前記鍼灸ヘッドとの連結孔に連結ピンを挿入することにより、前記マッサージヘッド、前記グアシャヘッドおよび前記鍼灸ヘッドが前記連結台にそれぞれ着脱可能に固定される。
【００１５】
また、前記撮像機構は、無線接続モジュールを備え、前記撮像機構は外部の電子表示装置と無線接続して治療の動作を前記外部の電子表示装置に表示させる。前記電子表示装置は、スマートフォン、ＰＤＡ、タブレットＰＣ、ノートブックなどである。さらに、前記無線接続モジュールは、無線のブルートゥース モジュールまたは無線のＷＩＦＩモジュールである。
【００１６】
また、多機能の治療装置を利用する治療方法、下記のステップを含む。
【００１７】
（ａ）組立：まずは、第１手持カバー部および第２手持カバー部を第１手持部および第２手持部にそれぞれ挿入させ、次には、ケース部を第１手持カバー部、第２手持カバー部および連結板の外部に装着させ、最後には、連結台を連結板に固定させる。
【００１８】
（ｂ）マッサージ：マッサージヘッドを連結台の頂部に嵌入させ、連結ピンで固定して位置決めさせ、使用者は両手で第１手持カバー部および第２手持カバー部の手持区間を握って、マッサージヘッドをマッサージしようとする部位に対向させて圧迫マッサージをする。
【００１９】
（ｃ）グアシャ：マッサージ完了後、マッサージヘッドを取り外し、グアシャヘッドを連結台の頂部に嵌入させてから連結ピンで固定させ、使用者は両手で手持区間を握って、グアシャヘッドを上記のマッサージした部位に対向させてグアシャをする。
【００２０】
（ｄ）灸療：グアシャ完了後、グアシャヘッドを取り外し、鍼灸ヘッドを連結台の頂部に嵌入させてから連結ピンで固定させ、点火した針状棒体を点火端から鍼灸ヘッド内に挿入させ、使用者は両手で手持区間を握って、鍼灸ヘッドを上記のグアシャした部位に対向させて灸療をするとともに撮像機構で観察する。
【００２１】
また、ステップ（ｂ）からステップ（ｄ）においては、体の前後の各部位に対してマッサージ、グアシャおよび灸療をし、ステップ（ｂ）およびステップ（ｃ）においては、マッサージやグアシャの方式には、ケース部の背面を平面に支持させて置き、体の自重でマッサージヘッドやグアシャヘッドを押圧しながら往復摩擦させることによってマッサージやグアシャをする圧力式と、位置決め筋を静的支点とし、マッサージヘッドやグアシャヘッドを動的支点とし、手動でマッサージヘッドやグアシャヘッドを押圧しながら往復摩擦させることによってマッサージやグアシャをする位置決め式とがあり、ステップ（ｂ）においては、マッサージの時間は５〜１０分間であり、マッサージ部位を予め血液循環させ、ステップ（ｃ）においては、グアシャの時間は５〜１０分間であり、鬱血を除去するとともに毒を排出させ、ステップ（ｄ）においては、灸療の部位が体の背中に位置する場合、撮像機構５で治療の過程を観察し、その灸療の時間は５〜２０分間である。
【発明の効果】
【００２２】
上記の構成によれば、本発明は下記のような効果を有する。
【００２３】
本発明は、本出願人が２０１４年２月１７日付に出願した出願番号が２０１４１００５２２３１．７である中国特許出願「マッサージ装置」における、（ａ）構造が簡単であり、使用が便利かつ多様であり、外方への湾曲と内方への湾曲とによって体の複数の部位に対してマッサージをすることができ、1人としても背部、頸部、大腿、腰部、腹部などの部位に対してマッサージをすることができ、マッサージの精度が高く、体の所定の部位に対してはマッサージを長時間することができ、（ｂ）小型化、軽量化であり、携帯が便利であり、手動でも電動でもマッサージをすることができ、いろいろな場所で使用可能なので適用性が高く、（ｃ）手動の場合は電力を消費せず、電動の場合はマッサージヘッド部分のみを駆動させて振動させればよいので、電力消費が少なく、使用コストが低く、（ｄ）ケース部の背面を閉鎖平面とした設計によれば、ケース部の背面を壁や他の平面に当接させ、両手で手持部を握ってマッサージをすることができるので、外力で長時間マッサージをすることができ、そのマッサージ力が大きく、安定的であるなどの利点を有する。
【００２４】
さらに、本発明は、マッサージヘッド、グアシャヘッドおよび鍼灸ヘッドを着脱可能に装着することによって、グアシャおよび灸療の機能が増加され、マッサージ、グアシャおよび灸療を単独的にすることもでき、三者を結合してすることもできる。また、マッサージ、グアシャおよび灸療をするとき、１人の操作で体の前後の各部位に対する治療をすることができる。また、実験により、マッサージ、グアシャおよび灸療を順次にした場合の利点を分かった。すなわち、まずマッサージをすることにより、治療しようとする部位を予め押圧し、揉んで局部の血液循環の流動を加速化させ、皮膚表面の毛細血管を拡張させ、マッサージをするとともにグアシャのために準備をする。マッサージ完了後、グアシャをすることにより、予め循環流動を加速化された血液および拡張された毛細血管はより効果的に舒筋通絡、去邪排毒される。最後に、マッサージおよびグアシャによって血液循環が加速化されかつ舒筋通絡されたことに対して、さらに灸療をすることにより、薬物がより順調に経絡に伝導され、また効果的に伝導されて、経絡の伝導作用により、臓腑に滲入し、経絡を温暖化させ、気血を調和させ、扶正▲去▼（原語は示へん付き）邪し、生理機能を調整し、耐病能力を増強させるので、治療の効果がより顕著であり、治療の時間が短くなる。
【００２５】
なお、本発明は、ケース部の頂部に位置決め筋を設けることにより、使用方式が、ケース部の背面を支持平面に当接させることでマッサージをすること以外、位置決め筋を静的支点とし、マッサージヘッドまたはグアシャヘッドまたは鍼灸ヘッドを動的支点とし、ケース部を傾斜させることで、マッサージ、グアシャまたは灸療を安定的にすることもできる。１人で体の背部に対して治療をするときは、撮像機構でマッサージ、グアシャおよび灸療の動作を実時間観察することができる。位置決め槽および針状棒体孔が開設されている隔板がさらに設けられ、位置決め槽は板状のグアシャヘッドを位置決めすること使用されるとともに、灸療の場合の排気口としても作用され、針状棒体孔は灸療時に針状棒体を位置決めさせることに使用され、１本または２本以上の針状棒体を同時に使用することができる。
【図面の簡単な説明】
【００２６】
【図１】本発明の平面図である。
【図２】本発明の弾性支持機構の構造を示す図である。
【図３】本発明のカバー機構の構造を示す図である。
【図４】本発明のマッサージヘッドの構造を示す拡大図である。
【図５】図４の側面図である。
【図６】図４のＡ線−Ａ線による断面図である。
【図７】本発明のグアシャヘッドの構造を示す図である。
【図８】図７の側面図である。
【図９】図８のＢ線−Ｂ線による断面図である。
【図１０】本発明の鍼灸ヘッドの構造を示す図である。
【図１１】図１０の側面図である。
【図１２】図１１のＢ線−Ｂ線による断面図である。
【図１３】針状棒体送り機構の構造を示す図である。
【図１４】本発明の実施例１の組み立て構造を示す図である。
【図１５】本発明の実施例１の弾性支持機構の斜視構造を示す図である。
【図１６】本発明の実施例１の弾性支持機構の斜視構造を示す別の図である。
【図１７】本発明の実施例１の斜視構造を示す図である。
【図１８】本発明の実施例１の平面図である。
【図１９】本発明の実施例１のマッサージヘッドを取り付けたときの側面図である。
【図２０】本発明の実施例１のグアシャヘッドを取り付けたときの側面図である。
【図２１】本発明の実施例１の鍼灸ヘッドを取り付けたときの側面図である。
【図２２】本発明の実施例１のマッサージヘッドの組み立て構造を示す図である。
【図２３】本発明の実施例１のグアシャヘッドの組み立て構造を示す図である。
【図２４】本発明の実施例１の鍼灸ヘッドの組み立て構造を示す図である。
【図２５】本発明の実施例１のマッサージヘッドの斜視構造を示す図である。
【図２６】本発明の実施例１のグアシャヘッドの斜視構造を示す図である。
【図２７】本発明の実施例１の鍼灸ヘッドの斜視構造を示す図である。
【発明を実施するための形態】
【００２７】
以下、図面を参照しながら、本発明に対して詳細に説明する。
（実施例１）
【００２８】
図１〜図２７に示したように、本発明の構成は以下の通りである。多機能の治療装置は、弾性支持機構１、治療機構２、カバー機構３、ケース部４および撮像機構５を備える。前記カバー機構３は弾性支持機構１の外部に挿入され、治療機構２は着脱可能に弾性支持機構１に固定される。治療機構２と弾性支持機構１との連結箇所にはケース部４が設けられる。使用者がカバー機構３を握って治療機構２を治療しようとする部位に対向させ、それを移動させながら治療を完成し、撮像機構５でその治療の動作を観察する。前記治療機構２は、マッサージヘッド２２、グアシャヘッド２３および鍼灸ヘッド２４を備え、前記マッサージヘッド２２、グアシャヘッド２３および鍼灸ヘッド２４は、いずれも弾性支持機構１に着脱可能に固定されて、順次にマッサージ、グアシャおよび灸療の動作をそれぞれ完成する。
【００２９】
好ましくは、上記の弾性支持機構１は、第１手持部１１、第２手持部１２および連結板１３を備え、前記第１手持部１１と第２手持部１２とは弾性手持部であり、両者の内側端はそれぞれ連結板１３の両端に固定され、前記連結板１３の両側には直径範囲が４ｍｍ〜２０ｍｍである位置決め筋１４が設けられており、この位置決め筋１４は、治療時に位置決めすることまたは直接打撃マッサージをすることに使用される。
【００３０】
好ましくは、上記のカバー機構３は、第１手持カバー部３１、第２手持カバー部３２およびリング部３３を備え、第１手持カバー部３１および第２手持カバー部３２は柔軟性のカバーであり、両者は第１手持部１１および第２手持部１２の外部にそれぞれ挿入され、第１手持カバー部３１および第２手持カバー部３２の外部には、少なくとも２つのリング部３３が間隔をあけて設けられ、リング部３３は、第１手持カバー部３１および第２手持カバー部３２を長手方向に少なくとも２つの区間に分割し、この区間は手持区間であり、互いに異なる距離に位置する手持区間は互いに異なるマッサージ部位に適用される。
【００３１】
好ましくは、上記のケース部４は、連結板１３および位置決め筋１４を包み、打撃マッサージ時の力を緩衝させるためのものである。ケース部４の底部は、閉鎖平面として、圧力の受ける面であり、受圧物の表面の滑り止めおよび保護をするためのものである。ケース部４の頂部および両端は開放されており、治療機構２はケース部４の頂部から突出され、第１手持カバー部３１および第２手持カバー部３２はそれぞれケース部４の両端から突出され、両者の外壁はケース部４の内壁と締り嵌めによって連結される。
【００３２】
好ましくは、上記の第１手持部１１および第２手持部１２の厚さは０．３ｍｍ〜２．５ｍｍであり、幅は１５ｍｍ〜４５ｍｍであり、材料は片状の弾性材質である。第１手持部１１および第２手持部１２の両端には、直径が６ｍｍ〜１２ｍｍである孔がそれぞれ開設されており、この孔は掛けることおよび包装することに使用される。
【００３３】
好ましくは、上記の鍼灸ヘッド２４内には、燃焼済みの針状棒体の灰燼を収集するための網板２１３が設けられている。鍼灸ヘッド２４の底部には、針状棒体２５を挟持するためのクランプ２１０が固定されており、針状棒体２５はクランプ２１０の挟持口に挟持されることによって固定及び位置決めされる。針状棒体２５が所定の時間燃焼した後に挟持口を開放させ、針状棒体２５を鍼灸ヘッド２４内へ移動させる。
【００３４】
好ましくは、上記の針状棒体２５の後端部には針状棒体送り機構が挿入される。針状棒体送り機構は、推進ピン２１１及び推進台２１２を備え、推進ピン２１１は針状棒体２５の後端部に挿入され、針状棒体２５がほとんど燃焼した場合、推進台２１２を前方へ推進させて残り部分を燃焼させるようにする。
【００３５】
好ましくは、上記の治療機構２は、連結板１３に固定される連結台２１をさらに備え、前記マッサージヘッド２２、グアシャヘッド２３および鍼灸ヘッド２４は、いずれも連結台２１に着脱可能に固定される。連結台２１の中央には貫通孔が開設されており、この貫通孔の上端附近には隔板２６が設けられており、隔板２６には位置決め槽２８および少なくとも２つの針状棒体孔２９が開設されている。位置決め槽２８には、グアシャヘッド２３が嵌入して位置決めされ、針状棒体孔２９には、１本または少なくとも２本の針状棒体２５が挿入して固定される。連結台２１の両側には連結孔が開設され、マッサージヘッド２２、グアシャヘッド２３、鍼灸ヘッド２４には対応する連結孔が開設されており、マッサージヘッド２２、グアシャヘッド２３、鍼灸ヘッド２４が連結台２１の頂部にそれぞれ嵌入されてから連結台２１とマッサージヘッド２２やグアシャヘッド２３や鍼灸ヘッド２４との連結孔に連結ピン２７を挿入することにより、マッサージヘッド２２、グアシャヘッド２３および鍼灸ヘッド２４が連結台２１にそれぞれ着脱可能に固定される。
【００３６】
前記多機能の治療装置を利用する治療方法は、以下のステップを含む。
【００３７】
（ａ）組立：まずは、第１手持カバー部３１および第２手持カバー部３２を第１手持部１１および第２手持部１２にそれぞれ挿入させる。次には、ケース部４を第１手持カバー部３１、第２手持カバー部３２および連結板１３の外部に装着させる。最後には、連結台２１を連結板１３に固定させる。
【００３８】
（ｂ）マッサージ：マッサージヘッド２２を連結台２１の頂部に嵌入させ、連結ピン２７で固定して位置決めさせる。使用者は両手で第１手持カバー部３１および第２手持カバー部３２の手持区間を握って、マッサージヘッド２２をマッサージしようとする部位に対向させて圧迫マッサージをする。
【００３９】
（ｃ）グアシャ：マッサージ完了後、マッサージヘッド２２を取り外し、グアシャヘッド２３を連結台２１の頂部に嵌入させてから連結ピン２７で固定させる。使用者は両手で手持区間を握って、グアシャヘッド２３を上記のマッサージした部位に対向させてグアシャをする。
【００４０】
（ｄ）灸療：グアシャ完了後、グアシャヘッド２３を取り外し、鍼灸ヘッド２４を連結台２１の頂部に嵌入させてから連結ピン２７で固定させ、点火した針状棒体２５を点火端から鍼灸ヘッド２４内に挿入させる。使用者は両手で手持区間を握って、鍼灸ヘッド２４を上記のグアシャした部位に対向させて灸療をするとともに撮像機構５で観察する。
【００４１】
好ましくは、ステップ（ｂ）からステップ（ｄ）においては、体の前後の各部位に対してマッサージ、グアシャおよび灸療をし、ステップ（ｂ）およびステップ（ｃ）においては、マッサージやグアシャの方式には、圧力式および位置決め式がある。圧力式とは、ケース部４の背面を平面に支持させて置き、体の自重でマッサージヘッド２２やグアシャヘッド２３を押圧しながら往復摩擦させることによってマッサージやグアシャをすることであり、位置決め式とは、位置決め筋１４を静的支点とし、マッサージヘッド２２やグアシャヘッド２３を動的支点とし、手動でマッサージヘッド２２やグアシャヘッド２３を押圧しながら往復摩擦させることによってマッサージやグアシャをすることである。ステップ（ｂ）においては、マッサージの時間は５〜１０分間であり、マッサージ部位を予め血液循環させ、ステップ（ｃ）においては、グアシャの時間は５〜１０分間であり、鬱血を除去するとともに毒を排出させ、ステップ（ｄ）においては、鍼灸療法の部位が体の背中に位置する場合、撮像機構５で治療の過程を観察し、その鍼灸療法の時間は５〜２０分間である。
【００４２】
さらに、本発明には複数の使用状態がある。図２に示したように、第１手持部１１と第２手持部１２とを内方に湾曲させ、このとき、使用者は両手で第１手持部１１と第２手持部１２との両端を握って、治療機構２を頸部、背部や腰部などの体の背後に対向させてマッサージをする。また、連結板１３の背面を壁に当接させ、体で治療機構２を押圧することで、壁からの力を利用して体に対してマッサージをすることができる。また、深部マッサージ（Deep  Tissue  Massage）を安定的に長時間することができ、マッサージ力は４０ｋｇ以上に達することができ、この設計は本分野では先頭に立つとも言える。図３に示したように、第１手持部１１と第２手持部１２とを外方に湾曲させ、このとき、使用者は両手で第１手持部１１と第２手持部１２との両端を握って、人が席に座った場合には、治療機構２を大腿、下腿や腹部などの部位に対向させて往復移動しなら押圧することでマッサージ効果を得ることができる。また、手持部の弾性を利用してマッサージ部位を打撃することもできる。また、手持カバー部の互いに異なる区間を握ることによって、マッサージ力やマッサージ部位を調節することができる。また、手持カバー部におけるリング部３３のストッパ作用によって、手持カバー部を握ったときのスリップによる脱落を防止することができる。上記の第１手持部１１および第２手持部１２の厚さは０．３ｍｍ〜２．５ｍｍであり、幅は１５ｍｍ〜４５ｍｍであり、材料は片状の弾性材質である。第１手持部１１および第２手持部１２の両端には、それぞれ直径が６ｍｍ〜１２ｍｍである孔が開設されており、この孔は掛けることおよび包装することに使用される。
【００４３】
さらに、前記撮像機構５は、照明付のカメラ、カメラ接続線および接続端子を備え、カメラ接続線は手持カバー部に取り付けられ、カメラ接続線の両端はカメラおよび接続端子にそれぞれ接続され、この接続端子が携帯電話、コンピュータ、プロジェクターなどの設備に接続されて、カメラが記録した画面を実時間表示することができる。
【００４４】
さらに、上記の隔板２６には、位置決め槽２８および針状棒体孔２９が開設されている。マッサージ動作をする場合、隔板２６はマッサージヘッド２２の下部を支持し、グアシャ動作をする場合、位置決め槽２８は板状のグアシャヘッド２３を位置決めおよび支持することに使用され、鍼灸療法をする場合、鍼灸ヘッド２４の頂部を下向させ、点火した針状棒体２５を連結台２１の底部から針状棒体孔２９を介して鍼灸ヘッド２４内へ挿入する。針状棒体２５の燃焼による煙は位置決め槽２８または針状棒体２５が挿入されていない針状棒体孔２９を介して排出され、燃焼による灰燼は鍼灸ヘッド２４内に残留され、灰燼は鍼灸ヘッド２４を取り外すことによって除去され、針状棒体孔２９は灸療時に針状棒体を位置決めさせることに使用され、１本または２本以上の針状棒体を同時に使用することができる。
【００４５】
本発明の実施例は、具体的な実施形態の説明にすぎず、本発明の保護範囲を限定するのではない。当業者は本実施例に基づいて相応的な修正をすることができるので、これらの変更または修正は本発明の特許請求の範囲に属するべきものである。
（産業上の利用）
【００４６】
本発明の多機能の治療装置および治療方法は、構造が簡単であり、設計が巧妙であり、１人で使用可能であり、かつ物理と薬物とを結合したものである。よって、産業上の利用は可能である。
【図１】
2017523829.tif 000003
【図２】
2017523829.tif 000004
【図３】
2017523829.tif 000005
【図４】
2017523829.tif 000006
【図５】
2017523829.tif 000007
【図６】
2017523829.tif 000008
【図７】
2017523829.tif 000009
【図８】
2017523829.tif 000010
【図９】
2017523829.tif 000011
【図１０】
2017523829.tif 000012
【図１１】
2017523829.tif 000013
【図１２】
2017523829.tif 000014
【図１３】
2017523829.tif 000015
【図１４】
2017523829.tif 000016
【図１５】
2017523829.tif 000017
【図１６】
2017523829.tif 000018
【図１７】
2017523829.tif 000019
【図１８】
2017523829.tif 000020
【図１９】
2017523829.tif 000021
【図２０】
2017523829.tif 000022
【図２１】
2017523829.tif 000023
【図２２】
2017523829.tif 000024
【図２３】
2017523829.tif 000025
【図２４】
2017523829.tif 000026
【図２５】
2017523829.tif 000027
【図２６】
2017523829.tif 000028
【図２７】
2017523829.tif 000029
【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
弾性支持機構（１）、治療機構（２）、カバー機構（３）、ケース部（４）および撮像機構（５）を備える多機能の治療装置であって、
前記カバー機構（３）は前記弾性支持機構（１）の外部に挿入され、前記治療機構（２）は前記弾性支持機構（１）に着脱可能に固定され、前記ケース部（４）は前記治療機構（２）と前記弾性支持機構（１）との連結箇所に設けられ、使用者が前記カバー機構（３）を握って前記治療機構（２）を治療の部位に対向させてから移動させながら治療をし、前記撮像機構（５）ではその治療の動作を観察し、前記治療機構（２）は、マッサージヘッド（２２）、グアシャヘッド（２３）および鍼灸ヘッド（２４）を備え、前記マッサージヘッド（２２）、前記グアシャヘッド（２３）および前記鍼灸ヘッド（２４）は、いずれも前記弾性支持機構（１）に着脱可能に固定されて、順次にマッサージ、グアシャおよび鍼灸の動作をそれぞれ完成することを特徴とする多機能の治療装置。
【請求項２】
前記弾性支持機構（１）は、第１手持部（１１）、第２手持部（１２）および連結板（１３）を備え、前記第１手持部（１１）と前記第２手持部（１２）とは弾性手持部であり、両者の内側端はそれぞれ前記連結板（１３）の両端に固定され、前記連結板（１３）の両側には直径範囲が４ｍｍ〜２０ｍｍである位置決め筋（１４）が設けられており、この位置決め筋（１４）は、治療時の位置を決めることまたは打撃マッサージをすることに使用されることを特徴とする請求項１に記載の多機能の治療装置。
【請求項３】
前記カバー機構（３）は、第１手持カバー部（３１）、第２手持カバー部（３２）およびリング部（３３）を備え、前記第１手持カバー部（３１）および前記第２手持カバー部（３２）は柔軟性のカバーであり、両者は前記第１手持部（１１）および前記第２手持部（１２）の外部にそれぞれ挿入され、少なくとも２つの前記リング部（３３）は前記第１手持カバー部（３１）および前記第２手持カバー部（３２）の外部に間隔をあけて設けられ、前記リング部（３３）は、前記第１手持カバー部（３１）および前記第２手持カバー部（３２）を長手方向に少なくとも２つの区間に分割し、この区間は手持区間であり、互いに異なる距離に位置する手持区間は互いに異なるマッサージ部位に適用されることを特徴とする請求項２に記載の多機能の治療装置。
【請求項４】
前記ケース部（４）は、前記連結板（１３）および前記位置決め筋（１４）を包み、打撃マッサージ時の力を緩衝させるためのものであり、前記ケース部（４）の底部は、閉鎖平面として、圧力の受ける面であり、受圧物の表面の滑り止めおよび保護をするためのものであり、前記ケース部（４）の頂部および両端は開放されており、前記治療機構（２）は前記ケース部（４）の頂部から突出され、前記第１手持カバー部（３１）および前記第２手持カバー部（３２）はそれぞれ前記ケース部（４）の両端から突出され、両者の外壁は前記ケース部（４）の内壁と締り嵌めによって連結されることを特徴とする請求項３に記載の多機能の治療装置。
【請求項５】
前記第１手持部（１１）および前記第２手持部（１２）の厚さは０．３ｍｍ〜２．５ｍｍであり、幅は１５ｍｍ〜４５ｍｍであり、材料は片状の弾性材質であり、前記第１手持部（１１）および前記第２手持部（１２）の両端には、直径が６ｍｍ〜１２ｍｍである孔がそれぞれ開設されており、この孔は掛けることおよび包装することに使用されることを特徴とする請求項２から４のいずれ１項に記載の多機能の治療装置。
【請求項６】
前記鍼灸ヘッド（２４）内には、燃焼済みの針状棒体の灰燼を収集するための網板（２１３）が設けられており、前記鍼灸ヘッド（２４）の底部には針状棒体（２５）を挟持するためのクランプ（２１０）が固定されており、前記針状棒体（２５）は前記クランプ（２１０）の挟持口に挟持されることによって固定及び位置決めされ、前記針状棒体（２５）が所定の時間燃焼した後に前記挟持口を開放させ、前記針状棒体（２５）を前記鍼灸ヘッド（２４）内へ移動させることを特徴とする請求項５に記載の多機能の治療装置。
【請求項７】
前記針状棒体（２５）の後端部には針状棒体送り機構が挿入され、前記針状棒体送り機構は推進ピン（２１１）及び推進台（２１２）を備え、前記推進ピン（２１１）は前記針状棒体（２５）の後端部に挿入され、前記針状棒体（２５）がほとんど燃焼した場合、前記推進台（２１２）を前方へ推進させて残り部分を燃焼させるようにすることを特徴とする請求項６に記載の多機能の治療装置。
【請求項８】
前記治療機構（２）は、前記連結板（１３）に固定される連結台（２１）と、連結ピン（２７）と、をさらに備え、前記マッサージヘッド（２２）、前記グアシャヘッド（２３）および前記鍼灸ヘッド（２４）は、いずれも前記連結台（２１）に着脱可能に固定され、前記連結台（２１）の中央には貫通孔が開設されており、この貫通孔の上端附近には隔板（２６）が設けられており、この隔板（２６）には位置決め槽（２８）および少なくとも２つの針状棒体孔（２９）が開設されており、前記位置決め槽（２８）には、前記グアシャヘッド（２３）が嵌入して位置決めされ、前記針状棒体孔（２９）には、１本または少なくとも２本の前記針状棒体（２５）が挿入して固定され、前記連結台（２１）の両側には連結孔が開設され、前記マッサージヘッド（２２）、前記グアシャヘッド（２３）、前記鍼灸ヘッド（２４）には対応する連結孔が開設されており、前記マッサージヘッド（２２）、前記グアシャヘッド（２３）、前記鍼灸ヘッド（２４）が前記連結台（２１）の頂部にそれぞれ嵌入されてから前記連結台（２１）と前記マッサージヘッド（２２）や前記グアシャヘッド（２３）や前記鍼灸ヘッド（２４）との連結孔に連結ピン（２７）を挿入することにより、前記マッサージヘッド（２２）、前記グアシャヘッド（２３）および前記鍼灸ヘッド（２４）が前記連結台（２１）にそれぞれ着脱可能に固定されることを特徴とする請求項７に記載の多機能の治療装置。
【請求項９】
前記撮像機構（５）は、無線接続モジュールを備え、前記撮像機構（５）は外部の電子表示装置と無線接続して治療の動作を前記外部の電子表示装置に表示させることを特徴とする請求項１に記載の多機能の治療装置。
【請求項１０】
前記無線接続モジュールは、無線のブルートゥース モジュールまたは無線のＷＩＦＩモジュールであることを特徴とする請求項９に記載の多機能の治療装置。
【手続補正２】
【補正対象書類名】明細書
【補正対象項目名】００１４
【補正方法】変更
【補正の内容】
【００１４】
また、前記理学治療機構は、前記連結板に固定される連結台と、連結ピンと、をさらに備え、前記マッサージヘッド、前記刮刮▲沙▼ヘッドおよび前記灸療ヘッドは、いずれも前記連結台に着脱可能に固定され、前記連結台の中央には貫通孔が開設されており、この貫通孔の上端附近には隔板が設けられており、この隔板には位置決め槽および少なくとも２つの艾棒孔が開設されており、前記位置決め槽には、前記刮▲沙▼ヘッドが嵌入して位置決めされ、前記艾棒孔には、１本または少なくとも２本の前記艾棒が挿入して固定され、前記連結台の両側には連結孔が開設され、前記マッサージヘッド、前記刮▲沙▼ヘッド、前記灸療ヘッドには対応する連結孔が開設されており、前記マッサージヘッド、前記刮▲沙▼ヘッド、前記灸療ヘッドが前記連結台の頂部にそれぞれ嵌入されてから前記連結台と前記マッサージヘッドや前記刮▲沙▼ヘッドや前記灸療ヘッドとの連結孔に連結ピンを挿入することにより、前記マッサージヘッド、前記刮▲沙▼ヘッドおよび前記灸療ヘッドが前記連結台にそれぞれ着脱可能に固定される。
【手続補正３】
【補正対象書類名】明細書
【補正対象項目名】００４２
【補正方法】変更
【補正の内容】
【００４２】
さらに、本発明には複数の使用状態がある。図１５に示したように、第１手持部１１と第２手持部１２とを内方に湾曲させ、このとき、使用者は両手で第１手持部１１と第２手持部１２との両端を握って、理学治療機構２を頸部、背部や腰部などの体の背後に対向させてマッサージを行う。また、連結板１３の背面を壁に当接させ、体で理学治療機構２を押圧することで、壁からの力を利用して体に対してマッサージを行うことができる。また、深部マッサージ（Deep  Tissue  Massage）を安定的に長時間行うことができ、マッサージ力は４０ｋｇ以上に達することができ、この設計は本分野では先頭に立つとも言える。図１６に示したように、第１手持部１１と第２手持部１２とを外方に湾曲させ、このとき、使用者は両手で第１手持部１１と第２手持部１２との両端を握って、人が席に座った場合には、理学治療機構２を大腿、下腿や腹部などの部位に対向させて往復移動しなら押圧することでマッサージ効果を得ることができる。また、手持部の弾性を利用してマッサージ部位を打撃することもできる。また、手持カバー部の互いに異なる区間を握ることによって、マッサージ力やマッサージ部位を調節することができる。また、手持カバー部におけるリング部３３のストッパ作用によって、手持カバー部を握ったときのスリップによる脱落を防止することができる。上記の第１手持部１１および第２手持部１２の厚さは０．３ｍｍ〜２．５ｍｍであり、幅は１５ｍｍ〜４５ｍｍであり、材料は片状の弾性材質である。第１手持部１１および第２手持部１２の両端には、それぞれ直径が６ｍｍ〜１２ｍｍである孔が開設されており、この孔は掛けることおよび包装することに使用される。
【手続補正４】
【補正対象書類名】図面
【補正対象項目名】図２０
【補正方法】変更
【補正の内容】
【図２０】
2017523829.tif 000030
【手続補正５】
【補正対象書類名】図面
【補正対象項目名】図２１
【補正方法】変更
【補正の内容】
【図２１】
2017523829.tif 000031
【手続補正６】
【補正対象書類名】図面
【補正対象項目名】図２６
【補正方法】変更
【補正の内容】
【図２６】
2017523829.tif 000032
【手続補正７】
【補正対象書類名】図面
【補正対象項目名】図２７
【補正方法】変更
【補正の内容】
【図２７】
2017523829.tif 000033
【国際調査報告】
2017523829.tif 000034
2017523829.tif 000035
2017523829.tif 000036
2017523829.tif 000037
2017523829.tif 000038
2017523829.tif 000039
2017523829.tif 000040
2017523829.tif 000041